(57)【要約】      （修正有）【課題】箸先部分を抜け止め状態に包持することができると共に、鞄や衣服のポケットなどにクリップを介して挿すことができる箸ホルダーを提供する。【解決手段】上半身部１ａと下半身部１ｂとを摺動自在に嵌合せしめるホールド手段２を備える。ホールド手段２は、両半身部１ａ，１ｂを摺動自在に連結せしめるスライド連結手段と、両半身部１ａ，１ｂの間で箸先を抜け止めする圧接手段とを備える。スライド連結手段は、上半身部１ａの長手方向両側面に外設されたスライドレール１ａ１  及びロック突起１ａ２  と、下半身部１ｂに凹設されたスライド凹溝１ｂ１  及びロック凹部１ｂ２  とで構成する。圧接手段は、上半身部１ａの外周面から突出してクリップ５の圧接部に当接する球状突起４ａと、ホルダー本体内で箸を押圧すべく内設された押圧部とを備え、クリップ５の押圧力(狭持力)とスライド連結手段の嵌合力とが押圧部に協働すべく組み付ける。【選択図】図３
0003144598.tif 000002
【実用新案登録請求の範囲】
【請求項１】
少なくとも箸の先端側を被装するホルダー本体及び／又は該ホルダー本体に突設されたクリップを備えてなる箸ホルダーにおいて、
前記ホルダー本体は、長手方向に二分割された対向配置の上半身部と下半身部とを摺動自在に組み付けてなることを特徴とする箸ホルダー。
【請求項２】
前記ホルダー本体は、長手方向に二分割された上半身部と下半身部とをスライドさせた開蓋状態で箸先を挿着せしめ、かつ、両半身部を元の閉蓋状態に整合させるだけで箸を抜け止め状態に包持せしめるホールド手段を備えたことを特徴とする請求項１に記載の箸ホルダー。
【請求項３】
前記ホールド手段は、上半身部と下半身部とを摺動自在に連結するためのスライド連結手段と、前記上半身部と下半身部との間に箸を抜け止めするための圧接手段とを備えてなることを特徴とする請求項２に記載の箸ホルダー。
【請求項４】
前記圧接手段は、少なくとも一方側が上半身部若しくは下半身部の外周面から突出して前記クリップの圧接部に当接し、他方側がホルダー本体内で箸を押圧すべく内設されていることを特徴とする請求項３に記載の箸ホルダー。
【考案の詳細な説明】
【技術分野】
【０００１】
本考案は、簡単にして箸先部分を抜け止め状態に包持することができると共に、斯かる状態で鞄や衣服のポケットなどにクリップを介して挿すことができる有用な箸ホルダーに関する。
【背景技術】
【０００２】
従来、斯かる箸ホルダーとしては、例えば、それぞれ中空の外箸と、先端側が当該外箸の先端側開口から長手方向に延び出すことが可能であると共に基端側が当該外箸の中空部内に収容される中箸とによって構成される伸縮可能な一対の箸本体と、前記中箸の基端側が外箸の中空部内に収容されて縮退状態になっている一対の箸本体に冠着可能なキャップとからなる携帯可能な箸であって、前記中箸は、基端側から先端側に向かって先細に形成されており、前記外箸は、その中空部を形成している周壁の内法寸法が、基端側から先端側の前記先端側開口に向かうにつれて次第に小さくなり、中箸の先端側を外箸の先端側開口から長手方向に延び出させて箸本体を伸長させた時に、中箸の基端側が外箸の先端側開口に係止して箸本体が所定の長さになると共に、前記キャップは長手方向に延びる所定の長さを有し、その長手方向の一方の端部に２個の孔を備えていると共に、外周部にクリップを有している（例えば、特許文献１参照）。
【特許文献１】特開２００８−５５０８４号公報
【考案の開示】
【考案が解決しようとする課題】
【０００３】
しかしながら、上述した従来の箸ホルダーにあっては、万年筆のような筆記具をクリップで留めて衣服や鞄のポケットに収納できるなど、携帯性に優れるといった利点を有するものの、箸先を入れ置く２個の孔が盲穴であるため、中に汚れが付着し易く、また、その中が洗いづらいことも相俟って、不衛生になってしまうといった問題がある。
【０００４】
本考案はこのような従来の問題点に鑑みてなされたもので、携帯に便利であるだけではなく、汚れ易い箸先部分でもホルダー本体を二つに遊離させて簡単に洗うことができるなど、衛生的で便利な箸ホルダーを提供することを目的としたものである。
【課題を解決するための手段】
【０００５】
上述の如き従来の問題点を解決し、所期の目的を達成するため本考案の要旨とする構成は、少なくとも箸先部分を被装するホルダー本体及び／又は該ホルダー本体に突設されたクリップを備えてなる箸ホルダーにおいて、前記ホルダー本体は、長手方向に二分割された対向配置の上半身部と下半身部とを摺動自在に組み付けてなる箸ホルダーに存する。
【０００６】
また、前記ホルダー本体は、長手方向に二分割された上半身部と下半身部とをスライドさせた開蓋状態で箸先を挿着し、かつ、両半身部を元の閉蓋状態に整合させるだけで箸先部分を抜け止め状態に包持せしめるホールド手段を備えるのが良い。
【０００７】
更に、前記ホールド手段は、上半身部と下半身部とを摺動自在に連結せしめるスライド連結手段と、前記上半身部と下半身部との間に箸先を抜け止めするための圧接手段とを備えるのが良い。
【０００８】
また、前記圧接手段は、少なくとも一方側が上半身部若しくは下半身部の外周面から突出して前記クリップの圧接部に当接し、他方側がホルダー本体内で箸を押圧すべく内設されるのが良い。
【考案の効果】
【０００９】
本考案は上述のように構成され、前記ホルダー本体は、長手方向に二分割された対向配置の上半身部と下半身部とを摺動自在に組み付けたことによって、ホルダー本体を二つに遊離した状態でまめに洗浄することができるため、従来の箸ホルダーに比して、衛生的に使用できるといった効果を奏する。
【００１０】
また、前記ホルダー本体は、長手方向に二分割された上半身部と下半身部とをスライドさせた開蓋状態で箸先を挿着せしめ、かつ、両半身部を元の閉蓋状態に整合させるだけで箸を抜け止め状態に包持せしめるホールド手段を備えたことによって、箸の着脱操作が頗る簡単に行えるため、使い勝手の良い箸ホルダーを提供できるといった効果を奏する。
【００１１】
更に、前記ホールド手段は、上半身部と下半身部とを摺動自在に連結せしめるスライド連結手段と、前記上半身部と下半身部との間に箸先を抜け止めするための圧接手段とを備えたことによって、意に反して箸が抜け落ちてしまうといった危惧をも一掃できるといった効果を奏する。
【００１２】
また、前記圧接手段は、少なくとも一方側が上半身部若しくは下半身部の外周面から突出して前記クリップの圧接部に当接し、他方側がホルダー本体内で箸先部分を押圧すべく内設されたことによって、ペンのようにクリップを介して鞄や衣服のポケット等に装着した際、斯かるクリップの圧接力(狭持力)も協働して箸を押圧できるため、より確実に箸を抜け止め状態に保持できるといった効果を奏する。
【００１３】
尚、本考案の箸ホルダーは、構成が単純であるため大量生産に適し、価格も低廉なものとして需要者に供給できる等、本考案を実施することはその実益的価値が甚だ大である。
【考案を実施するための最良の形態】
【００１４】
ホルダー本体は、長手方向に二分割された対向配置の上半身部と下半身部とを摺動自在に組み付ける。上半身部と下半身部とをスライドさせた開蓋状態で箸先を挿着し、かつ、両半身部を元の閉蓋状態に整合させるだけで箸先部分を抜け止め状態に包持せしめるホールド手段を備える。ホールド手段は、上半身部と下半身部とを摺動自在に連結せしめるスライド連結手段と、前記上半身部と下半身部との間に箸先を抜け止めするための圧接手段とを備え、圧接手段は、少なくとも一方側が上半身部若しくは下半身部の外周面から突出して前記クリップの圧接部に当接し、他方側がホルダー本体内で箸先部分を押圧すべく内設するのが良い。
【実施例】
【００１５】
次に本考案に係る箸ホルダーの実施の一例を図面を参照しながら説明する。図中Ａは、本考案に係る箸ホルダーであり、この箸ホルダーＡは、扁平筒状のホルダー本体１と、該ホルダー本体１を構成する上半身部１ａと下半身部１ｂと、両半身部１ａ，１ｂを摺動自在に包持せしめるホールド手段２とを備えている。
【００１６】
ホールド手段２は、上半身部１ａと下半身部１ｂとを摺動自在に連結せしめるスライド連結手段３と、前記上半身部１ａと下半身部１ｂとの間に箸先を抜け止めするための圧接手段４とを備えている。
【００１７】
スライド連結手段３は、上半身部１ａの長手方向両側面に外設されたスライドレール１ａ１  ，１ａ１  及びロック突起１ａ２  と、下半身部１ｂに凹設された前記上半身部１ａのスライドレール１ａ１  ，１ａ１  及び突起１ａ２  にそれぞれ整合するスライド凹溝１ｂ１  ，１ｂ１  及びロック凹部１ｂ２  とから構成されている。
【００１８】
尚、このスライドレール１ａ１  とスライド凹溝１ｂ１  とが整合された状態にあっては、互いが長手方向(左右方向)には摺動しても上下方向には外れないようにロックされることは云うまでもない。
【００１９】
一方、圧接手段４は、上半身部１ａの外周面から突出してクリップ５の圧接部５ａに当接する球状突起４ａと、ホルダー本体１内で箸を押圧すべく内設された押圧部４ｂとから構成されており、該押圧部４ｂに前記スライド連結手段３の嵌合力とクリップ５の押圧力（狭持力）とが協働できるように前記球状突起４ａを貫通せしめている。因に、図中６は、下半身部１ｂを上手くスライドさせるための指当部である。
【００２０】
このように構成される本考案の箸ホルダーＡは、図５に示すように、上半身部１ａと下半身部１ｂとをスライドさせた開蓋状態で箸先が挿着可能となり、また、両半身部１ａ，１ｂを元の閉蓋状態に整合させると(図４参照)、前記押圧部４ｂが箸に押圧された状態に前記スライド連結手段３で狭持されるため、箸を抜け止め状態に包持することができ、また、前記クリップ５を利用して鞄や衣服類のポケット等に簡単に差し入れることができるので、頗る便利である。
【００２１】
しかも、その際には、斯かるクリップ５の押圧力(狭持力)と前記スライド連結手段３の嵌合力とが前記押圧部４ｂに協働して箸を強制的に押圧するため、より確実に箸を抜け止め状態に包持でき、意に反して箸が抜け落ちてしまうといった危惧をも一掃することができるなど、箸ホルダーとしての商品価値を高めることができる。
【００２２】
尚、本考案の箸ホルダーは本実施例に限定されることなく、本考案の目的の範囲内で自由に設計変更し得るものであり、本考案はそれらの全てを包摂するものである。
【図面の簡単な説明】
【００２３】
【図１】本考案に係る箸ホルダーの側面図である。
【図２】同箸ホルダーの縦断面図である。
【図３】同箸ホルダーの組立分解斜視図である。
【図４】同箸ホルダーの閉蓋状態を示す説明図である。
【図５】同箸先カバーの開蓋状態を示す説明図である。
【図６】同箸ホルダーの背面図である。
【図７】同箸先カバーの遊端面図である。
【符号の説明】
【００２４】
１  ホルダー本体
１ａ  上半身部
１ａ１  スライドレール
１ａ２  ロック突起
１ｂ  下半身部
１ｂ１  スライド凹溝
１ｂ２  ロック凹部  
２  ホールド手段
３  スライド連結手段
４  圧接手段
４ａ  球状突起
４ｂ  押圧部
５  クリップ
５ａ  圧接手段
６  指当部
【図１】
0003144598.tif 000003
【図２】
0003144598.tif 000004
【図３】
0003144598.tif 000005
【図４】
0003144598.tif 000006
【図５】
0003144598.tif 000007
【図６】
0003144598.tif 000008
【図７】
0003144598.tif 000009